(57)【要約】【課題】無線通信を行う無線通信モジュールと接続可能であってクロックを用いて動作を行う電子機器で、クロックによって無線通信モジュールにより行われる無線通信を妨害してしまうことを防止する。【解決手段】無線通信使用周波数検出手段３３が電子機器Ｅ１と接続された無線通信モジュールＭ１により行われる無線通信に使用される周波数を検出し、クロック周波数制御手段３１、３４、３５が無線通信使用周波数検出手段３３により検出された周波数を使用する無線通信にとって妨害となるクロック周波数以外のクロック周波数が設定されるように制御する。【選択図】　　　図１
2004023396.tif 000002
【特許請求の範囲】
【請求項１】
無線通信を行う無線通信モジュールと接続可能であり、クロックを用いて動作を行う電子機器であって、
接続された無線通信モジュールにより行われる無線通信に使用される周波数を検出する無線通信使用周波数検出手段と、
無線通信使用周波数検出手段により検出された周波数を使用する無線通信にとって妨害となるクロック周波数以外のクロック周波数が設定されるように制御するクロック周波数制御手段と、
を備えたことを特徴とする電子機器。
【発明の詳細な説明】
【０００１】
【発明の属する技術分野】
本発明は、無線通信を行う無線通信モジュールと接続可能であってクロックを用いて動作を行う電子機器に関し、特に、クロックによって無線通信モジュールにより行われる無線通信を妨害してしまうことを防止する電子機器に関する。
【０００２】
【従来の技術】
例えばコンピュータなどの電子機器では、所定の周波数を有するクロックの信号（クロック信号）を発生させて、当該クロック信号を基準として種々な処理の動作が行われる。
また、コンピュータなどの電子機器では、例えば無線通信を行う機能を有するカードや携帯型電話機などのモジュール（無線通信モジュール）と接続することが可能な構成を有するものがある。
【０００３】
図２には、このような電子機器Ｅ２と無線通信モジュールＭ２の構成例を示してある。
具体的には、制御クロック４１と制御部４２を備えた電子機器Ｅ２と、アンテナ５１と受信部５２と制御部５３を備えた無線通信モジュールＭ２とが、制御線６１により接続された様子を示してある。
【０００４】
無線通信モジュールＭ２では、アンテナ５１により無線信号を受信し、当該受信した信号を受信部５２により受信処理し、当該受信処理した信号の処理などの各種の処理を制御部５３により行う。
電子機器Ｅ２では、制御クロック４１によりクロック信号を発生させ、当該クロック信号の周波数（クロック周波数）に基づいて各種の処理を制御部４２により行う。
また、電子機器Ｅ２と無線通信モジュールＭ２との間では、制御線６１を介して信号を通信することが可能である。
【０００５】
【発明が解決しようとする課題】
しかしながら、上記従来例で示したような無線通信モジュールと接続可能な従来の電子機器では、当該電子機器で使用するクロック信号が無線通信モジュールにより行われる無線通信を妨害してしまうことがあるといった不具合があった。具体的には、例えば、電子機器で使用するクロック信号の逓倍波の周波数が無線通信モジュールの受信周波数と同一の周波数となる場合があり、このような場合に、無線通信モジュールの受信感度を劣化させてしまうといった不具合があった。
【０００６】
また、具体的に、上記図２に示したような電子機器Ｅ２及び無線通信モジュールＭ２では、例えば無線通信モジュールＭ２が電子機器Ｅ２で使用されるクロック信号を使用して動作するような場合に当該クロック信号が無線通信モジュールＭ２により行われる無線通信を妨害してしまうことがあり、また、例えば電子機器Ｅ２で使用されるクロック信号が当該電子機器Ｅ２の筐体を介して電磁波として無線通信モジュールＭ２により行われる無線通信を妨害してしまうことがある。
【０００７】
本発明は、このような従来の課題を解決するためになされたもので、無線通信を行う無線通信モジュールと接続されて、クロックを用いて動作を行うに際して、クロックによって無線通信モジュールにより行われる無線通信を妨害してしまうことを防止することができる電子機器を提供することを目的とする。
【０００８】
【課題を解決するための手段】
上記目的を達成するため、本発明に係る電子機器では、無線通信を行う無線通信モジュールと接続可能であり、クロックを用いて動作を行う構成において、次のような処理を行う。
すなわち、無線通信使用周波数検出手段が当該電子機器に接続された無線通信モジュールにより行われる無線通信に使用される周波数を検出し、クロック周波数制御手段が無線通信使用周波数検出手段により検出された周波数を使用する無線通信にとって妨害となるクロック周波数以外のクロック周波数が設定されるように制御する。
【０００９】
従って、無線通信を行う無線通信モジュールと接続されて、クロックを用いて動作を行うに際して、接続された無線通信モジュールにより行われる無線通信にとって妨害となるクロック周波数以外のクロック周波数が設定されるように制御されるため、クロックによって無線通信モジュールにより行われる無線通信を妨害してしまうことを防止することができ、無線通信モジュールにより良好な無線通信が行われることを確保することができる。
【００１０】
ここで、電子機器としては、例えばノート型のパーソナルコンピュータやデスクトップ型のパーソナルコンピュータやＰＤＡ（Ｐｅｒｓｏｎａｌ　Ｄｉｇｉｔａｌ　Ａｓｓｉｓｔａｎｔ）などの種々な装置が用いられてもよい。
また、電子機器で使用されるクロック周波数としては、種々な周波数が用いられてもよく、本発明では、クロック周波数として複数の周波数を変更して使用することが可能である。
【００１１】
また、無線通信モジュールとしては、例えば無線通信機能を有するカードや携帯型電話機などの種々な装置が用いられてもよい。
また、無線通信モジュールにより行われる無線通信で使用される周波数としては、種々な周波数が用いられてもよい。
また、無線通信モジュールとしては、例えば、無線受信を行う機能を有するものや、無線送信を行う機能を有するものや、無線受信及び無線送信を行う機能を有するものを用いることができる。
【００１２】
また、電子機器と無線通信モジュールとを接続する仕方としては、例えば、電子機器と無線通信モジュールのそれぞれに設けられた接続端子（コネクタ）により接続する仕方や、或いは、ケーブルにより接続する仕方などを用いることができる。
【００１３】
なお、電子機器で使用されるクロック信号が当該電子機器の筐体を介して電磁波として無線通信モジュールにより行われる無線通信を妨害してしまうのを防止することに関しては、例えば電子機器と無線通信モジュールとを接続したときに当該電子機器と当該無線通信モジュールとが近接するような場合に本発明は特に有効となる。
【００１４】
また、接続された無線通信モジュールにより行われる無線通信に使用される周波数としては、例えば１つの周波数が検出されてもよく、或いは、２つ以上の周波数が検出されてもよい。
また、接続された無線通信モジュールにより行われる無線通信に使用される周波数を検出する仕方としては、種々な仕方が用いられてもよく、例えば、接続された無線通信モジュールにより無線通信される信号を当該無線通信モジュールから受信して当該受信した信号に基づいて検出する仕方や、或いは、接続された無線通信モジュールにより無線通信される信号の周波数の通知を当該無線通信モジュールから受信して当該受信した通知に基づいて検出する仕方などを用いることができる。
【００１５】
また、無線通信使用周波数検出手段により検出された周波数を使用する無線通信にとって妨害となるクロック周波数としては、例えばクロック周波数の逓倍（例えば、１倍や、２倍や、３倍などのような整数倍）の周波数が当該検出された周波数と一致するような周波数を用いることができ、また、例えばこのような周波数に近似する周波数を用いることもでき、また、実用上で有効であれば、種々な周波数が用いられてもよい。
【００１６】
また、無線通信使用周波数検出手段により検出された周波数を使用する無線通信にとって妨害となるクロック周波数以外のクロック周波数が設定されるように制御する態様としては、例えば現在設定されているクロック周波数を変更するような態様が用いられ、或いは、例えばクロック周波数を初期的に設定するような場合に妨害とならないクロック周波数を設定するような態様が用いられてもよい。
【００１７】
なお、本発明は、無線通信モジュールにより行われる無線通信をクロックにより妨害してしまうことを防止するものであるが、無線通信モジュールにより行われる無線通信としては、例えば無線受信のみに本発明が適用されてもよく、無線送信のみに本発明が適用されてもよく、無線受信と無線送信との両方に本発明が適用されてもよい。一例として、無線通信モジュールにより無線受信と無線送信とが異なる周波数を使用して行われるような場合には、無線受信に使用される周波数と無線送信に使用される周波数との両方について無線通信を妨害しないクロック周波数が設定されるように制御する構成とすることもできる。
【００１８】
以下で、本発明の具体的な構成例を示す。
本発明に係る電子機器では、一構成例として、クロック周波数制御手段は、無線通信モジュールにより行われる無線通信が妨害されると予想される当該無線通信の周波数とクロック周波数に関する情報を記憶する妨害情報記憶手段と、妨害情報記憶手段の記憶内容に基づいて無線通信使用周波数検出手段により検出された周波数を使用する無線通信にとって現在設定されているクロック周波数が妨害となるか否かを判定する妨害判定手段と、妨害判定手段により妨害となると判定された場合に現在設定されているクロック周波数を変更するクロック周波数変更手段とを用いて構成される。
【００１９】
ここで、妨害情報記憶手段に記憶される情報としては、種々な情報が用いられてもよく、例えば、無線通信モジュールにより行われる無線通信が妨害されると予想される場合における当該無線通信の周波数とクロック周波数との組み合わせの情報などが用いられる。
また、妨害情報記憶手段としては、例えばメモリを用いて構成することができる。
【００２０】
また、無線通信使用周波数検出手段により検出された周波数を使用する無線通信にとって現在設定されているクロック周波数が妨害となるか否かを判定する態様としては、例えば妨害となるか或いは妨害とならないかの少なくとも一方を検出すればよく、又は、妨害となることと妨害とならないこととの両方を検出してもよい。
【００２１】
また、妨害判定手段により妨害となると判定された場合に現在設定されているクロック周波数を変更する態様としては、種々な態様が用いられてもよく、例えば、妨害とならないクロック周波数を選択して当該クロック周波数へ変更するような態様や、或いは、クロック周波数をランダムに変更して妨害とならないクロック周波数となるまで変更を繰り返して行うような態様などを用いることができる。
【００２２】
一構成例として、本発明に係る電子機器では、クロック周波数制御手段を構成するクロック周波数変更手段は、妨害判定手段により妨害となると判定された場合に、現在設定されているクロック周波数を、無線通信使用周波数検出手段により検出された周波数を使用する無線通信にとって妨害となるクロック周波数以外のクロック周波数へ変更する。
【００２３】
また、本発明に係る電子機器では、一構成例として、クロック周波数制御手段を構成する妨害情報記憶手段は、無線通信モジュールにより行われる無線通信に使用される周波数と当該周波数を使用する無線通信にとって妨害となるクロック周波数とを対応付けるテーブルから構成されており、また、クロック周波数制御手段を構成する妨害判定手段は、現在設定されているクロック周波数が、妨害情報記憶手段を構成するテーブルの記憶内容に基づいて無線通信使用周波数検出手段により検出された周波数に対応したクロック周波数と一致する場合に、無線通信使用周波数検出手段により検出された周波数を使用する無線通信にとって現在設定されているクロック周波数が妨害となると判定する。
【００２４】
ここで、妨害情報記憶手段を構成するテーブルに記憶される無線通信モジュールにより行われる無線通信に使用される周波数としては、例えば１つの周波数であってもよく、或いは、２つ以上の周波数であってもよい。
また、妨害情報記憶手段を構成するテーブルに記憶されるクロック周波数としては、例えば、無線通信モジュールにより行われる無線通信に使用される１つの周波数に対して、１つの周波数であってもよく、或いは、２つ以上の周波数であってもよい。
【００２５】
また、現在設定されているクロック周波数が、無線通信使用周波数検出手段により検出された周波数に対応したクロック周波数と一致する場合としては、例えばこれらのクロック周波数が同一である場合が用いられる。
【００２６】
また、本発明に係る電子機器では、一構成例として、クロック周波数制御手段を構成する妨害情報記憶手段は、クロック周波数と当該クロック周波数が妨害となる無線通信モジュールにより行われる無線通信に使用される周波数とを対応付けるテーブルから構成されており、また、クロック周波数制御手段を構成する妨害判定手段は、無線通信使用周波数検出手段により検出された周波数が、妨害情報記憶手段を構成するテーブルの記憶内容に基づいて現在設定されているクロック周波数に対応した周波数と一致する場合に、無線通信使用周波数検出手段により検出された周波数を使用する無線通信にとって現在設定されているクロック周波数が妨害となると判定する。
【００２７】
ここで、妨害情報記憶手段を構成するテーブルに記憶されるクロック周波数としては、例えば１つの周波数であってもよく、或いは、２つ以上の周波数であってもよい。
また、妨害情報記憶手段を構成するテーブルに記憶される無線通信モジュールにより行われる無線通信に使用される周波数としては、例えば、１つのクロック周波数に対して、１つの周波数であってもよく、或いは、２つ以上の周波数であってもよい。
【００２８】
また、無線通信使用周波数検出手段により検出された周波数が、現在設定されているクロック周波数に対応した周波数と一致する場合としては、例えばこれらの周波数が同一である場合が用いられる。
【００２９】
また、本発明に係る電子機器では、一構成例として、接続可能な無線通信モジュールにより複数の無線通信システムが用いられ、また、クロック周波数制御手段を構成する妨害情報記憶手段は、それぞれの無線通信システム毎に当該無線通信システムにより行われる無線通信が妨害されると予想される場合における当該無線通信の周波数とクロック周波数に関する情報を記憶し、更に、接続された無線通信モジュールにより用いられる無線通信システムを検出する無線通信システム検出手段を備え、また、クロック周波数制御手段を構成する妨害判定手段は、無線通信システム検出手段により検出された無線通信システムに対応した妨害情報記憶手段の記憶内容に基づいて、無線通信使用周波数検出手段により検出された周波数を使用する無線通信にとって現在設定されているクロック周波数が妨害となるか否かを判定する。
【００３０】
ここで、接続可能な無線通信モジュールにより複数の無線通信システムが用いられる態様としては、例えば、１つの無線通信モジュールにより複数の無線通信システムが用いられるような態様や、或いは、それぞれ異なる無線通信システムに対応した複数の無線通信モジュールが用いられるような態様などを用いることができる。
【００３１】
また、無線通信システムとしては、種々なシステムが用いられてもよく、例えば、日本のデジタルセルラ移動通信で用いられるＰＤＣのシステムや、ＰＨＳ（Ｐｅｒｓｏｎａｌ　Ｈａｎｄｙ　ｐｈｏｎｅ　Ｓｙｓｔｅｍ）のシステムや、Ｗ−ＣＤＭＡ（Ｗｉｄｅｂａｎｄｅｄ−ＣｏｄｅＤｉｖｉｓｉｏｎ　Ｍｕｌｔｉｐｌｅ　Ａｃｃｅｓｓ）のシステムなどを用いることができる。
【００３２】
また、それぞれの無線通信システム毎に当該無線通信システムにより行われる無線通信が妨害されると予想される場合における当該無線通信の周波数とクロック周波数に関する情報を記憶する態様としては、例えばそれぞれの無線通信システム毎にテーブルを設けるような態様を用いることができる。
【００３３】
また、接続された無線通信モジュールにより用いられる無線通信システムを検出する仕方としては、種々な仕方が用いられてもよく、例えば、接続された無線通信モジュールにより無線通信される信号を当該無線通信モジュールから受信して当該受信した信号に基づいて検出する仕方や、接続された無線通信モジュールにより用いられる無線通信システムの通知を当該無線通信モジュールから受信して当該受信した通知に基づいて検出する仕方などを用いることができる。
【００３４】
また、本発明に係る電子機器では、一構成例として、無線通信使用周波数検出手段は、接続された無線通信モジュールにより行われる無線受信に使用される周波数を検出する。
また、本発明に係る電子機器では、一構成例として、無線通信使用周波数検出手段は、接続された無線通信モジュールにより行われる無線送信に使用される周波数を検出する。
また、本発明に係る電子機器では、一構成例として、クロック周波数の逓倍に相当する周波数が無線通信モジュールにより行われる無線通信に使用される周波数と一致する場合に、当該クロック周波数を当該周波数を使用する無線通信にとって妨害となるクロック周波数とする。
【００３５】
【発明の実施の形態】
本発明に係る一実施例を図面を参照して説明する。
図１には、本発明の一実施例に係る電子機器Ｅ１と無線通信モジュールＭ１の構成例を示してあり、電子機器Ｅ１と無線通信モジュールＭ１とが制御線２１により接続された様子を示してある。なお、制御線２１は、例えば電子機器Ｅ１や無線通信モジュールＭ１の一方或いは両方と一体化されて設けられ、又は、電子機器Ｅ１や無線通信モジュールＭ１とは別体で設けられる。
【００３６】
電子機器Ｅ１には、制御クロック１と、制御部２とが備えられている。また、制御部２には、テーブル３１と、運用システム検出機能３２と、使用チャネル検出機能３３と、妨害チャネル判定機能３４と、クロックシフト機能３５とが備えられている。
制御クロック１は、制御部２により制御され、クロック信号を発生させる。
制御部２は、制御クロック１により発生させられるクロック信号の周波数（クロック周波数）に基づいて各種の処理を行う。また、制御部２は、制御線２１を介して無線通信モジュールＭ１の制御部１３と通信する。
【００３７】
具体的には、制御部２では、例えば、テーブル３１がクロック周波数と無線通信に使用される周波数との対応関係に関する情報を記憶し、運用システム検出機能３２が電子機器Ｅ１に接続された無線通信モジュールＭ１により用いられる無線通信システム（運用システム）を検出し、使用チャネル検出機能３３が電子機器Ｅ１に接続された無線通信モジュールＭ１により行われる無線通信に使用されるチャネルを検出し、妨害チャネル判定機能３４が現在設定されているクロック周波数が電子機器Ｅ１に接続されている無線通信モジュールＭ１により行われる無線通信を妨害するか否かを判定し、また、これにより妨害すると判定された場合にクロックシフト機能３５が制御クロック１により発生させるクロック信号の周波数（クロック周波数）をシフトさせて変更する。
なお、本例では、無線通信モジュールＭ１により行われる無線通信に使用されるそれぞれのチャネルでは、それぞれに設定された周波数を使用して無線通信が行われる。
【００３８】
ここで、本例の電子機器Ｅ１では、テーブル３１として、接続される無線通信モジュールＭ１により用いられる運用システムの無線通信で使用される周波数のデータに対応付けて、電子機器Ｅ１の制御クロック１で用いられるクロック周波数の逓倍の周波数を有する信号（逓倍波）のチャネルのデータを、妨害チャネル（以下で、デットチャネルとも言う）のデータとして記憶するテーブルを保持している。
【００３９】
具体的には、例えば、テーブル３１では、クロック周波数の逓倍に相当する周波数の中で運用システムの無線通信で使用される周波数と一致（或いは、例えば一致及び近似する）周波数のデータを記憶し、又は、運用システムの無線通信で使用される周波数の中でクロック周波数の逓倍に相当する周波数と一致（或いは、例えば一致及び近似する）周波数のデータを記憶する。
【００４０】
また、本例の電子機器Ｅ１では、テーブル３１として、例えば、ＰＤＣのシステムやＰＨＳのシステムやＷ−ＣＤＭＡのシステムなどの複数の無線通信システムのそれぞれ毎に、当該無線通信システムに関するデットチャネルのデータと当該無線通信システムの無線通信で使用されるチャネルのデータとを対応付けたようなテーブルを保持することが可能である。そして、本例の電子機器Ｅ１では、接続された無線通信モジュールＭ１により用いられる運用システムに応じて参照するテーブルを変更する。
【００４１】
このように、本例の電子機器Ｅ１では、接続された無線通信モジュールＭ１から、制御線２１を使用して、当該無線通信モジュールＭ１により用いられる運用システムの情報や、当該無線通信モジュールＭ１により行われる無線通信に使用されるチャネルの情報を受け取る。なお、本例の電子機器Ｅ１では、接続された無線通信モジュールＭ１から当該無線通信モジュールＭ１により使用される受信周波数の情報を受け取る。
【００４２】
無線通信モジュールＭ１には、アンテナ１１と、受信部１２と、制御部１３とが備えられている。
アンテナ１１は、無線信号を受信する。
受信部１２は、アンテナ１１により受信された信号を受信処理する。
制御部１３は、受信部１２により受信処理された信号の処理などの各種の処理を行う。また、制御部１３は、制御線２１を介して電子機器Ｅ１の制御部２と通信する。
【００４３】
ここで、本例の無線通信モジュールＭ１では、接続された電子機器Ｅ１に対して、制御線２１を使用して、当該無線通信モジュールＭ１により用いられる運用システムの情報や、当該無線通信モジュールＭ１により行われる無線通信に使用されるチャネルの情報を送出する。なお、本例の無線通信モジュールＭ１では、接続された電子機器Ｅ１に対して、当該無線通信モジュールＭ１により使用される受信周波数の情報を送出する。
また、無線通信モジュールＭ１としては、例えば従来と同様なものが用いられてもよく、或いは、他のものが用いられてもよい。
【００４４】
次に、本例の電子機器Ｅ１により行われる動作の一例を示す。
まず、電子機器Ｅ１では、例えば無線通信モジュールＭ１が接続されたことなどを契機として、接続された無線通信モジュールＭ１により用いられる無線通信システム（運用システム）を把握する。
【００４５】
次に、例えば接続された無線通信モジュールＭ１が無線通信を行う場合に、電子機器Ｅ１では、当該無線通信モジュールＭ１により行われる無線通信に使用されるチャネルを特定する情報を当該無線通信モジュールＭ１から受け取り、把握している運用システムのテーブル３１を参照して、当該使用されるチャネルと当該電子機器Ｅ１において保持するデットチャネルとを比較する。
【００４６】
このような比較の結果、電子機器Ｅ１では、接続された無線通信モジュールＭ１により行われる無線通信に使用されるチャネルが、当該電子機器Ｅ１において現在設定されている制御クロック１のクロック周波数についてのデットチャネルと一致すると判断した場合には、現在設定されている制御クロック１のクロック周波数をシフトさせて、接続された無線通信モジュールＭ１により行われる無線通信に使用されるチャネルが当該電子機器Ｅ１において設定される制御クロック１のクロック周波数についてのデットチャネルとはならないように制御する。
【００４７】
なお、本例の電子機器Ｅ１では、例えば接続された無線通信モジュールＭ１により無線受信される信号を当該無線通信モジュールＭ１から入力することにより、当該無線通信モジュールＭ１の無線受信機能を用いて無線受信を行うことができる。また、同様に、無線通信モジュールＭ１が無線送信機能を有する場合には、電子機器Ｅ１では、例えば送信対象となる信号を接続された無線通信モジュールＭ１へ出力して当該信号を当該無線通信モジュールＭ１により無線送信することにより、当該無線通信モジュールＭ１の無線送信機能を用いて無線送信を行うことができる。
【００４８】
以上のように、本例の電子機器Ｅ１は、無線通信モジュールＭ１と接続可能な構成であり、無線通信モジュールＭ１の接続により当該無線通信モジュールで用いられる無線通信システム（運用システム）を検出して、当該検出した無線通信システムの無線通信で使用される複数の周波数（無線周波数）のチャネルの中から現在設定されているクロック周波数によって妨害されてしまうチャネルを記憶したテーブルを保持し、そして、接続された無線通信モジュールＭ１により行われる無線通信に使用されるチャネルのデータを当該無線通信モジュールＭ１から受け取ると、当該受け取ったチャネルのデータと当該テーブルに記憶されたチャネル（デットチャネル）のデータとを比較して、これらのチャネルが同一のチャネルであると判定した場合には、制御クロック１のクロック周波数を変更する。
【００４９】
従って、本例の電子機器Ｅ１では、例えば、当該電子機器Ｅ１において使用するクロック信号の逓倍波の周波数が接続された無線通信モジュールＭ１の受信周波数と同一の周波数となった場合に当該無線通信モジュールＭ１の受信感度が劣化してしまうような現象に対して、制御クロック１のクロック周波数を可変な構成として、現在使用されているクロック信号が接続された無線通信モジュールＭ１により行われる無線通信にとって妨害波となる場合に制御クロック１のクロック周波数を変更することが行われるため、接続された無線通信モジュールＭ１の受信感度劣化を防止することができ、当該無線通信モジュールＭ１により良好な無線通信が行われることを確保することができる。
【００５０】
なお、本例の電子機器Ｅ１では、使用チャネル検出機能３３により無線通信使用周波数検出手段が構成されており、テーブル３１や妨害チャネル判定機能３４やクロックシフト機能３５によりクロック周波数制御手段が構成されている。
また、本例の電子機器Ｅ１では、テーブル３１により妨害情報記憶手段が構成されており、妨害チャネル判定機能３４により妨害判定手段が構成されており、クロックシフト機能３５によりクロック周波数変更手段が構成されており、運用システム検出機能３２により無線通信システム検出手段が構成されている。
【００５１】
ここで、本発明に係る電子機器や無線通信モジュールなどの構成としては、必ずしも以上に示したものに限られず、種々な構成が用いられてもよい。なお、本発明は、電子機器と無線通信モジュールを備えたシステムとして提供することも可能である。また、本発明は、例えば本発明に係る処理を実行する方法や、このような方法を実現するためのプログラムなどとして提供することも可能である。また、本発明の適用分野としては、必ずしも以上に示したものに限られず、本発明は、種々な分野に適用することが可能なものである。
【００５２】
また、本発明に係る電子機器や無線通信モジュールなどにおいて行われる各種の処理としては、例えばプロセッサやメモリ等を備えたハードウエア資源においてプロセッサがＲＯＭ（Ｒｅａｄ　Ｏｎｌｙ　Ｍｅｍｏｒｙ）に格納された制御プログラムを実行することにより制御される構成が用いられてもよく、また、例えば当該処理を実行するための各機能手段が独立したハードウエア回路として構成されてもよい。また、本発明は上記の制御プログラムを格納したフロッピー（登録商標）ディスクやＣＤ（Ｃｏｍｐａｃｔ　Ｄｉｓｃ）−ＲＯＭ等のコンピュータにより読み取り可能な記録媒体や当該プログラム（自体）として把握することもでき、当該制御プログラムを記録媒体からコンピュータに入力してプロセッサに実行させることにより、本発明に係る処理を遂行させることができる。
【００５３】
【発明の効果】
以上説明したように、本発明に係る電子機器によると、無線通信を行う無線通信モジュールと接続されて、クロックを用いて動作を行うに際して、接続された無線通信モジュールにより行われる無線通信に使用される周波数を検出し、当該検出した周波数を使用する無線通信にとって妨害となるクロック周波数以外のクロック周波数が設定されるように制御するようにしたため、クロックによって無線通信モジュールにより行われる無線通信を妨害してしまうことを防止することができ、無線通信モジュールにより良好な無線通信が行われることを確保することができる。
【図面の簡単な説明】
【図１】本発明の一実施例に係る電子機器の構成例を示す図である。
【図２】無線通信モジュールを接続することが可能な電子機器の一例を示す図である。
【符号の説明】
Ｅ１・・電子機器、　Ｍ１・・無線通信モジュール、　１・・制御クロック、
２、１３・・制御部、　１１・・アンテナ、　１２・・受信部、
２１・・制御線、　３１・・テーブル、　３２・・運用システム検出機能、
３３・・使用チャネル検出機能、　３４・・妨害チャネル判定機能、
３５・・クロックシフト機能、
【図１】
2004023396.tif 000003
【図２】
2004023396.tif 000004